(57)【要約】【課題】容易に間取りを変更することができる間仕切構造を提供する。【解決手段】回転軸２１の両側に互いに開閉可能な２枚の板状の蝶番片２２ａ，２２ｂを有する上側蝶番１３が、一方の蝶番片２２ａが下方に回転するよう、他方の蝶番片２２ｂで梁や鴨居といった上側横架材１１に固定されている。回転軸２５の両側に互いに開閉可能な２枚の板状の蝶番片２６ａ，２６ｂを有する下側蝶番１４が、一方の蝶番片２６ａが上方に回転するよう、土台や敷居といった下側横架材１２の上側蝶番１３と対向する位置に、他方の蝶番片２６ｂで固定されている。柱材１５が、両端面にそれぞれ一方の蝶番片２２ａおよび一方の蝶番片２６ａを挿入可能に厚みを貫通して設けられた挿入溝３０を有している。柱材１５は、一方の蝶番片２２ａおよび一方の蝶番片２６ａを、それぞれ各挿入溝３０に挿入して固定可能になっている。【選択図】図１
2010112022.tif 000002
【特許請求の範囲】
【請求項１】
上側横架材と下側横架材と上側蝶番と下側蝶番と柱材とを有し、
前記上側横架材と前記下側横架材とは並列に間隔をあけて設けられ、
前記上側蝶番は回転軸を挟んで結合されて互いに開閉可能な２枚の蝶番片を有し、一方の蝶番片が前記上側横架材の下方で前記回転軸を中心として回転可能であって他方の蝶番片が前記上側横架材の下部に固定され、
前記下側蝶番は回転軸を挟んで結合されて互いに開閉可能な２枚の蝶番片を有し、一方の蝶番片が前記下側横架材の上方で前記回転軸を中心として回転可能であって他方の蝶番片が前記下側横架材の上部に固定され、前記下側蝶番は前記上側蝶番と上下で対向しており、
前記柱材は、両端面に少なくとも同一側の側面に連通する挿入溝を有し、各挿入溝に前記上側蝶番および前記下側蝶番の各一方の蝶番片がそれぞれ挿入されて固定され、前記上側横架材と前記下側横架材との間に設けられていることを、
特徴とする間仕切構造。
【請求項２】
前記上側蝶番および前記下側蝶番は、それぞれ前記一方の蝶番片の鉛直方向から少なくとも一方側への回転を止めるストッパと、それぞれ前記一方の蝶番片を前記上側横架材または前記下側横架材に重ねた状態で係止する係止部材とを有し、
前記上側蝶番および前記下側蝶番のそれぞれ前記他方の蝶番片は前記柱材の長さ方向に沿って前記挿入溝に挿入されていることを、
特徴とする請求項１記載の間仕切構造。
【請求項３】
前記上側横架材は長さ方向に伸びる溝穴を下部に有し、前記下側横架材は長さ方向に伸びる溝穴を上部に有し、
前記上側蝶番および前記下側蝶番はそれぞれ前記他方の蝶番片に貫通孔を有し、
前記上側蝶番は前記他方の蝶番片が前記上側横架材の長さ方向に伸びて前記溝穴に挿入され、前記上側横架材の側部を貫通するピンにより前記貫通孔で前記上側横架材に固定され、
前記下側蝶番は前記他方の蝶番片が前記下側横架材の長さ方向に伸びて前記溝穴に挿入され、前記下側横架材の側部を貫通するピンにより前記貫通孔で前記下側横架材に固定されていることを、
特徴とする請求項２記載の間仕切構造。
【請求項４】
間仕切壁を有し、
前記上側蝶番および前記下側蝶番を複数有し、各上側蝶番は前記上側横架材にその長さ方向に間隔をあけて直列に固定され、各下側蝶番は前記下側横架材にその長さ方向に間隔をあけて直列に固定され、
前記間仕切壁は、上下両端面に少なくとも同一側の側部端面に連通する挿入溝を有し、各挿入溝に前記上側蝶番および前記下側蝶番のそれぞれ前記一方の蝶番片が挿入されて固定され、前記間仕切壁は前記上側横架材と前記下側横架材との間に設けられていることを、
特徴とする請求項３記載の間仕切構造。
【請求項５】
複数の前記上側蝶番は前記上側横架材で前記一方の蝶番片の回転方向が互いに反対の組み合わせを有し、複数の前記下側蝶番は前記下側横架材で前記一方の蝶番片の回転方向が互いに反対の組み合わせを有することを、
特徴とする請求項４記載の間仕切構造。
【請求項６】
複数の分割ピンを有し、各分割ピンは固定ピンと取付ピンとを有し、各固定ピンと各取付ピンとは互いに端部で直列に着脱可能であってそれぞれ側部に固定孔を有し、各固定ピンは前記上側横架材および前記下側横架材の互いに上下で対向する位置に埋め込まれていることを、
特徴とする請求項５記載の間仕切構造。
【請求項７】
天井パネルと壁パネルとを有し、
前記天井パネルは矩形板状を成し、それぞれ４辺を平行にして配置された矩形状の上側板材および下側板材と、前記上側板材と前記下側板材との間に挟まれた天井用断熱板と、少なくとも１辺に沿って設けられた連結用梁材とを有し、前記連結用梁材は前記下側板材より下方に突出した突出部を有し、
前記壁パネルは矩形板状を成し、それぞれ４辺を平行にして配置された矩形状の１対の壁板材と、各壁板材の間に挟まれた壁用断熱板とを有し、前記壁用断熱板は上側の１辺に沿って前記連結用梁材の前記突出部を嵌合可能な嵌合溝を有することを、
特徴とする請求項１、２または３記載の間仕切構造。
【請求項８】
壁パネルを有し、
前記壁パネルは、矩形状の断熱板の両面にその両面を覆うようにそれぞれ４辺を平行にして矩形状の板材を貼り付けて成り、側部側の一方の１辺は両方の板材の側部が前記断熱板の側部より突出しており、他方の板材および前記断熱板の、側部側の他方の１辺から前記断熱板の厚み分離れた位置にその他方の１辺と平行に前記他方の板材の厚み以上の幅で上下両端面に連通する挿入溝を有することを、
特徴とする請求項１、２または３記載の間仕切構造。
【発明の詳細な説明】
【技術分野】
【０００１】
本発明は、建築物の間仕切構造に関する。
【背景技術】
【０００２】
一般的な建築物の間仕切構造は、梁や鴨居といった上側横架材と、土台や敷居といった下側横架材との間に柱を設け、その柱と上側横架材と下側横架材との間に間仕切壁を設けている。従来、上側横架材と下側横架材との間に柱を固定する方法として、例えば、柱の両端面を加工して凸部を形成し、上側横架材および下側横架材に柱の凸部をぴったりと嵌合可能な凹部を形成し、凸部と凹部とを嵌合させて固定するものがある。また、凸部や凹部の加工には熟練が必要なため、これを工場で予め精密に機械加工する方法や、柱等の加工を行わず、専用の接続金具を使用して柱を固定したりするものもある（例えば、特許文献１参照）。
【０００３】
【特許文献１】特開平１０−１８３７６２号公報
【発明の開示】
【発明が解決しようとする課題】
【０００４】
しかしながら、柱等を加工する方法や特許文献１に記載の接続金具を使用する方法では、一旦、柱を取り付けると、間取りの変更には大掛かりなリフォームが必要となり、容易には間取りを変更できないという課題があった。
【０００５】
本発明は、このような課題に着目してなされたもので、容易に間取りを変更することができる間仕切構造を提供することを目的とする。
【課題を解決するための手段】
【０００６】
上記目的を達成するために、本発明に係る間仕切構造は、上側横架材と下側横架材と上側蝶番と下側蝶番と柱材とを有し、前記上側横架材と前記下側横架材とは並列に間隔をあけて設けられ、前記上側蝶番は回転軸を挟んで結合されて互いに開閉可能な２枚の蝶番片を有し、一方の蝶番片が前記上側横架材の下方で前記回転軸を中心として回転可能であって他方の蝶番片が前記上側横架材の下部に固定され、前記下側蝶番は回転軸を挟んで結合されて互いに開閉可能な２枚の蝶番片を有し、一方の蝶番片が前記下側横架材の上方で前記回転軸を中心として回転可能であって他方の蝶番片が前記下側横架材の上部に固定され、前記下側蝶番は前記上側蝶番と上下で対向しており、前記柱材は、両端面に少なくとも同一側の側面に連通する挿入溝を有し、各挿入溝に前記上側蝶番および前記下側蝶番の各一方の蝶番片がそれぞれ挿入されて固定され、前記上側横架材と前記下側横架材との間に設けられていることを、特徴とする。
上側横架材の例としては梁や鴨居が、下側横架材の例としては土台や敷居が挙げられる。柱材の挿入溝は、互いに反対側の両方の側面に連通していることが好ましい。
【０００７】
本発明に係る間仕切構造は、上側蝶番および下側蝶番が予め上側横架材および下側横架材に固定されているので、上側蝶番および下側蝶番のそれぞれ一方の蝶番片に柱材の両端面の挿入溝を挿入し固定することにより、容易に柱材を固定することができ、間取りを容易に変更することができる。上側蝶番および下側蝶番は、使用しないときには、それぞれ一方の蝶番片を回転させて上側横架材および下側横架材に折り重ねておけば邪魔にならない。上側横架材および下側横架材に重ねた一方の蝶番片は、重ねた状態を保つようにすることが好ましい。重ねた状態の一方の蝶番片をカバーで覆うようにしてもよい。上側横架材および下側横架材に重ねた一方の蝶番片は、上側横架材および下側横架材の表面から突出しないよう上側横架材および下側横架材に設けた凹部に配置されることが好ましい。柱材には、間仕切壁を取り付けることができる。
【０００８】
上側蝶番および下側蝶番は、建築時に柱材を設ける箇所だけでなく、将来柱材を設ける可能性のある箇所にも予め固定しておくとよい。これにより、将来必要なときに容易に間取りを変更することができる。
【０００９】
本発明に係る間仕切構造で、前記上側蝶番および前記下側蝶番は、それぞれ前記一方の蝶番片の鉛直方向から少なくとも一方側への回転を止めるストッパと、それぞれ前記一方の蝶番片を前記上側横架材または前記下側横架材に重ねた状態で係止する係止部材とを有し、前記上側蝶番および前記下側蝶番のそれぞれ前記他方の蝶番片は前記柱材の長さ方向に沿って前記挿入溝に挿入されていることが好ましい。この場合、ストッパにより、一方の蝶番片の鉛直方向から少なくとも一方側への回転を止めることができるので、柱材をより強固に固定することができる。なお、ストッパは、一方の蝶番片を鉛直下方に伸びる位置で固定するようになっていてもよい。この場合、一方の蝶番片を柱材の各挿入溝に挿入するのが容易になり、柱材の固定もより強固になる。上側蝶番および下側蝶番は、使用しないとき、係止部材により一方の蝶番片を上側横架材または下側横架材に重ねた状態で係止しておけば、邪魔にならない。
【００１０】
本発明に係る間仕切構造で、前記上側横架材は長さ方向に伸びる溝穴を下部に有し、前記下側横架材は長さ方向に伸びる溝穴を上部に有し、前記上側蝶番および前記下側蝶番はそれぞれ前記他方の蝶番片に貫通孔を有し、前記上側蝶番は前記他方の蝶番片が前記上側横架材の長さ方向に伸びて前記溝穴に挿入され、前記上側横架材の側部を貫通するピンにより前記貫通孔で前記上側横架材に固定され、前記下側蝶番は前記他方の蝶番片が前記下側横架材の長さ方向に伸びて前記溝穴に挿入され、前記下側横架材の側部を貫通するピンにより前記貫通孔で前記下側横架材に固定されていることが好ましい。
この場合、各柱材を上側横架材および下側横架材の長さ方向に移動させることにより、柱材の各挿入溝にそれぞれ一方の蝶番片を容易に挿入することができる。
【００１１】
本発明に係る間仕切構造は、間仕切壁を有し、前記上側蝶番および前記下側蝶番を複数有し、各上側蝶番は前記上側横架材にその長さ方向に間隔をあけて直列に固定され、各下側蝶番は前記下側横架材にその長さ方向に間隔をあけて直列に固定され、前記間仕切壁は、上下両端面に少なくとも同一側の側部端面に連通する挿入溝を有し、各挿入溝に前記上側蝶番および前記下側蝶番のそれぞれ前記一方の蝶番片が挿入されて固定され、前記間仕切壁は前記上側横架材と前記下側横架材との間に設けられていることが好ましい。
この場合、上側蝶番および下側蝶番が予め上側横架材および下側横架材に固定されているので、上側蝶番および下側蝶番のそれぞれ一方の蝶番片に間仕切壁の両端面の挿入溝を挿入し固定することにより、容易に間仕切壁を固定することができ、間取りを容易に変更することができる。なお、上側横架材および下側横架材がそれぞれＴ字または十字に交差している場合には、その交差位置に柱材用に１組の上側蝶番および下側蝶番を設け、その交差位置から伸びる全ての方向に間仕切壁用に上側蝶番および下側蝶番を設けてもよい。間仕切壁の挿入溝は、互いに反対側の両方の側部端面に連通していることが好ましい。
【００１２】
本発明に係る間仕切構造で、複数の前記上側蝶番は前記上側横架材で前記一方の蝶番片の回転方向が互いに反対の組み合わせを有し、複数の前記下側蝶番は前記下側横架材で前記一方の蝶番片の回転方向が互いに反対の組み合わせを有していてもよい。
この場合、上側蝶番および下側蝶番のそれぞれ一方の蝶番片が同一方向に回転することがないため、それらを挿入溝に挿入した柱材および間仕切壁は、上側横架材および下側横架材に、より強固に固定される。
【００１３】
本発明に係る間仕切構造は、複数の分割ピンを有し、各分割ピンは固定ピンと取付ピンとを有し、各固定ピンと各取付ピンとは互いに端部で直列に着脱可能であってそれぞれ側部に固定孔を有し、各固定ピンは前記上側横架材および前記下側横架材の互いに上下で対向する位置に埋め込まれていてもよい。
この場合、柱材の両端面の挿入溝に、少なくとも同一側の側面に連通する挿入溝を設け、間仕切壁の上下両端面には、少なくとも同一側の側部端面に連通する挿入溝を設け、上側横架材および下側横架材に埋め込まれた各固定ピンに取付ピンを取り付け、各取付ピンを各挿入溝に挿入し、上側横架材および下側横架材の側部を貫通するピンにより各取付ピンを固定孔で上側横架材および下側横架材に固定する。これにより、分割ピンを用いて、柱材および間仕切壁を上側横架材と下側横架材との間に設けることができる。
【００１４】
分割ピンの固定ピンは、建築時に柱材や間仕切壁を設ける箇所だけでなく、将来柱材や間仕切壁を設ける可能性のある箇所にも予め固定しておくことが好ましい。これにより、将来必要なときに容易に間取りを変更することができる。なお、上側横架材および下側横架材がＴ字や十字に交差している場合には、その交差位置に柱材用の１対の分割ピンを設け、その交差位置から伸びる全ての方向に、間仕切壁用の分割ピンの対を設けるとよい。
【００１５】
本発明に係る間仕切構造は、天井パネルと壁パネルとを有し、前記天井パネルは矩形板状を成し、それぞれ４辺を平行にして配置された矩形状の上側板材および下側板材と、前記上側板材と前記下側板材との間に挟まれた天井用断熱板と、少なくとも１辺に沿って設けられた連結用梁材とを有し、前記連結用梁材は前記下側板材より下方に突出した突出部を有し、前記壁パネルは矩形板状を成し、それぞれ４辺を平行にして配置された矩形状の１対の壁板材と、各壁板材の間に挟まれた壁用断熱板とを有し、前記壁用断熱板は上側の１辺に沿って前記連結用梁材の前記突出部を嵌合可能な嵌合溝を有していてもよい。
この場合、壁パネルの嵌合溝に、天井パネルの連結用梁材の突出部を嵌合して固定することにより壁パネルと天井パネルとを連結し、間仕切構造を容易に造ることができる。天井パネルが上側板材と下側板材との間に天井用断熱板を有し、壁パネルが各壁板材の間に壁用断熱板を有しているため、断熱性が高い間仕切構造を得ることができる。なお、壁パネルの嵌合溝は、壁用断熱板の上部に壁板材に沿って形成された段差から成っていてもよい。
【００１６】
本発明に係る間仕切構造は、壁パネルを有し、前記壁パネルは、矩形状の断熱板の両面にその両面を覆うようにそれぞれ４辺を平行にして矩形状の板材を貼り付けて成り、側部側の一方の１辺は両方の板材の側部が前記断熱板の側部より突出しており、他方の板材および前記断熱板の、側部側の他方の１辺から前記断熱板の厚み分離れた位置にその他方の１辺と平行に前記他方の板材の厚み以上の幅で上下両端面に連通する挿入溝を有していてもよい。
この場合、同一の壁パネルを複数使用し、１つの壁パネルの挿入溝に他の壁パネルの板材の突出した側部を挿入して２つの壁パネルを互いに垂直に結合し、強度の高い壁を造ることができる。
【発明の効果】
【００１７】
本発明によれば、容易に間取りを変更することができる間仕切構造を提供することができる。
【発明を実施するための最良の形態】
【００１８】
以下、図面に基づき、本発明の実施の形態について説明する。
図１および図２は、本発明の第１の実施の形態の間仕切構造を示している。
図１に示すように、本発明の第１の実施の形態の間仕切構造は、上側横架材１１と下側横架材１２と複数の上側蝶番１３と複数の下側蝶番１４と複数の柱材１５と複数の間仕切壁１６とを有している。
図１（ａ）に示すように、上側横架材１１は、梁や鴨居などの横架材から成り、下側横架材１２は、上側横架材１１の下方に配置された土台や敷居などの横架材から成っている。上側横架材１１および下側横架材１２は、互いに平行、並列に間隔をあけて配置されている。
【００１９】
図１（ａ）に示すように、各上側蝶番１３は、回転軸２１を挟んで結合されて互いに開閉可能な２枚の板状の蝶番片２２ａ，２２ｂを有する。一方の蝶番片２２ａが上側横架材１１の下方で回転軸２１を中心として回転可能であって他方の蝶番片２２ｂが上側横架材１１の下部に固定されている。各蝶番片２２ａ，２２ｂは、矩形板状で、中央に厚みを貫通して設けられた貫通孔２３を有している。上側蝶番１３は、各蝶番片２２ａ，２２ｂの表面が上側横架材１１の長さ方向に対して平行に伸びるよう、上側横架材１１に固定されている。各上側蝶番１３は、上側横架材１１にその長さ方向に間隔をあけて直列に固定されている。
【００２０】
上側横架材１１は、長さ方向に伸びる固定用溝穴を下部に有している。上側蝶番１３は、他方の蝶番片２２ｂを上側横架材１１に設けられた固定用溝穴に挿入し、上側横架材１１の側部および他方の蝶番片２２ｂの貫通孔２３に棒状のピン金具２４を貫通して固定されている。これにより、上側蝶番１３は、一方の蝶番片２２ａが下方に回転するよう、他方の蝶番片２２ｂで上側横架材１１に固定されている。また、上側蝶番１３は、一方の蝶番片２２ａを鉛直下方に伸びる位置で固定するためのストッパを有している。なお、ストッパの代わりに、一方の蝶番片２２ａの鉛直方向から一方側への回転のみを止めるストッパを用いてもよい。この場合、上側蝶番１３は複数設けられ、上側横架材１１で一方の蝶番片２２ａの回転方向が互いに反対の組み合わせを有することが好ましい。上側蝶番１３は、一方の蝶番片２２ａを上側横架材１１に重ねた状態で係止する係止部材を有することが好ましい。
【００２１】
図１（ａ）に示すように、各下側蝶番１４は、回転軸２５を挟んで結合されて互いに開閉可能な２枚の板状の蝶番片２６ａ，２６ｂを有する。一方の蝶番片２６ａが下側横架材１２の上方で回転軸２５を中心として回転可能であって他方の蝶番片２６ｂが下側横架材１２の上部に固定されている。下側蝶番１４は、上側蝶番１３と上下で対向している。各蝶番片２６ａ，２６ｂは、矩形板状で、中央に厚みを貫通して設けられた貫通孔２７を有している。下側蝶番１４は、各蝶番片２６ａ，２６ｂの表面が下側横架材１２の長さ方向に対して平行に伸びるよう、下側横架材１２に固定されている。各下側蝶番１４は、下側横架材１２にその長さ方向に間隔をあけて直列に固定されている。
【００２２】
下側横架材１２は、長さ方向に伸びる固定用溝穴を上部に有している。下側蝶番１４は、他方の蝶番片２６ｂを下側横架材１２に設けられた固定用溝穴に挿入し、下側横架材１２の側部および他方の蝶番片２６ｂの貫通孔２７に棒状のピン金具２８を貫通して固定されている。これにより、下側蝶番１４は、一方の蝶番片２６ａが上方に回転するよう、他方の蝶番片２６ｂで下側横架材１２に固定されている。また、下側蝶番１４は、一方の蝶番片２６ａを鉛直上方に伸びる位置で固定するためのストッパ２９を有している。下側蝶番１４は、一方の蝶番片２６ａを下側横架材１２に重ねた状態で係止する係止部材を有することが好ましい。
【００２３】
図１（ｂ）に示すように、各柱材１５は、上側横架材１１と下側横架材１２との間隔と同じ長さを有し、両端面に、厚みを貫通して設けられた挿入溝３０を有している。各挿入溝３０は、一方の蝶番片２２ａおよび一方の蝶番片２６ａの厚みと同じ幅を有し、一方の蝶番片２２ａおよび一方の蝶番片２６ａの高さより長い深さを有している。各挿入溝３０は、同じ方向に伸びるよう形成されており、その深さ方向が柱材１５の長さ方向に沿うよう設けられている。これにより、各挿入溝３０は、それぞれ一方の蝶番片２２ａおよび一方の蝶番片２６ａを厚み方向で挟むようにして挿入可能になっている。柱材１５は、一方の蝶番片２２ａおよび一方の蝶番片２６ａを柱材１５の長さ方向に沿ってそれぞれ各挿入溝３０に挿入し、上側の端部１５ａと一方の蝶番片２２ａの貫通孔２３、および下側の端部１５ｂと一方の蝶番片２６ａの貫通孔２７とに、棒状のピン金具を貫通させて固定可能になっている。柱材１５は、上側横架材１１と下側横架材１２との間に設けられる。
【００２４】
図１（ｃ）に示すように、各間仕切壁１６は、所定の厚みを有する矩形板状を成し、上側横架材１１と下側横架材１２との間隔と同じ高さを有している。間仕切壁１６は、上下両端面に、幅方向に沿って厚み間で室内に面する面と平行に伸び、両方の側部端面に連通する挿入溝３１を有している。各挿入溝３１は、一方の蝶番片２２ａおよび一方の蝶番片２６ａの厚みと同じ幅を有し、一方の蝶番片２２ａおよび一方の蝶番片２６ａの高さより長い深さを有している。各挿入溝３１は、その深さ方向が間仕切壁１６の高さ方向に沿うよう設けられている。これにより、各挿入溝３１は、それぞれ一方の蝶番片２２ａおよび一方の蝶番片２６ａを厚み方向で挟むようにして挿入可能になっている。間仕切壁１６は、一方の蝶番片２２ａおよび一方の蝶番片２６ａをそれぞれ各挿入溝３１に挿入し、上側の側部側の１辺部１６ａと一方の蝶番片２２ａの貫通孔２３、および下側の側部側の１辺部１６ｂと一方の蝶番片２６ａの貫通孔２７とに、棒状のピン金具を貫通させて固定可能になっている。間仕切壁１６は、上側横架材１１と下側横架材１２との間に設けられる。
【００２５】
間仕切構造は、互いに対向するよう設けられた上側蝶番１３および下側蝶番１４を複数組有している。間仕切構造は、上側横架材１１および下側横架材１２が直線状に伸びる箇所では、柱材用の１組の上側蝶番１３および下側蝶番１４、その両脇にそれぞれ間仕切壁用の上側蝶番１３および下側蝶番１４の組が設けられている。また、図２に示すように、上側横架材１１および下側横架材１２がＴ字や十字に交差している箇所では、その交差位置に柱材用の１組の上側蝶番および下側蝶番１４ａ、その交差位置から伸びる全ての方向に間仕切壁用の上側蝶番および下側蝶番１４ｂの組が設けられている。これにより、間仕切構造は、柱材１５を柱材用の一組の上側蝶番および下側蝶番１４ａに固定し、間仕切壁１６の一方の側部端面を柱材１５に接触させるよう、間仕切壁１６を間仕切壁用の上側蝶番および下側蝶番１４ｂの組に固定して形成される。
【００２６】
次に、作用について説明する。
本発明の第１の実施の形態の間仕切構造は、上側蝶番１３および下側蝶番１４を使用して柱材１５および間仕切壁１６を固定するため、容易に柱材１５および間仕切壁１６を固定することができる。上側蝶番１３の一方の蝶番片２２ａおよび下側蝶番１４の一方の蝶番片２６ａを、それぞれ各挿入溝３０および各挿入溝３１で厚み方向で挟むよう、各挿入溝３０および各挿入溝３１に挿入して柱材１５および間仕切壁１６を固定することにより、柱材１５および間仕切壁１６を面で支えることができる。これにより、柱材１５および間仕切壁１６を強固に固定することができ、安定性を高めることができる。
【００２７】
上側蝶番１３および下側蝶番１４は、建築時に柱材１５や間仕切壁１６を設ける箇所だけでなく、将来、柱材１５や間仕切壁１６を設ける可能性のある箇所にも予め固定しておく。これにより、容易に柱材１５や間仕切壁１６を固定し、容易に間取りを変更することができる。このとき、使用しない上側蝶番１３の一方の蝶番片２２ａおよび下側蝶番１４の一方の蝶番片２６ａを回転させて、それぞれ上側横架材１１および下側横架材１２に折り重ねて固定しておくことにより、収納性が良く、邪魔にならない。その上側横架材１１および下側横架材１２に重ねた蝶番片２２ａおよび蝶番片２６ａは、カバーで覆ってもよい。
【００２８】
柱材１５および間仕切壁１６を固定するとき、ストッパ２９により一方の蝶番片２２ａおよび一方の蝶番片２６ａを固定することにより、一方の蝶番片２２ａおよび一方の蝶番片２６ａをそれぞれ各挿入溝３０および各挿入溝３１に容易に挿入することができる。また、柱材１５および間仕切壁１６を固定するとき、各挿入溝３０および各挿入溝３１の長さ方向が上側横架材１１および下側横架材１２の長さ方向に沿うようにして、柱材１５および間仕切壁１６を上側横架材１１および下側横架材１２の長さ方向に沿って移動させることにより、一方の蝶番片２２ａおよび一方の蝶番片２６ａをそれぞれ各挿入溝３０および各挿入溝３１に容易に挿入することができる。
【００２９】
なお、鉛直方向から両側への回転を止めるストッパ２９の代わりに、一方の蝶番片２６ａの鉛直方向から一方側への回転のみを止めるストッパを用いてもよい。この場合、下側蝶番１４は複数設けられ、下側横架材１２で一方の蝶番片２６ａの回転方向が互いに反対の組み合わせを有することが好ましい。この場合、上側蝶番１３および下側蝶番１４のそれぞれ一方の蝶番片２２ａ,２６ａが同一方向に回転することがないため、それらを挿入溝３０および挿入溝３１にそれぞれ挿入した柱材１５および間仕切壁１６は、上側横架材１１および下側横架材１２により強固に固定される。
【００３０】
図３乃至図６は、本考案の第２の実施の形態の間仕切構造を示している。
なお、以下の説明では、本考案の第１の実施の形態の間仕切構造の構成と同一の部材には同一の符号を付して、重複する説明を省略する。
図３乃至図５に示すように、本考案の第２の実施の形態の間仕切構造は、上側横架材１１と下側横架材１２と複数の分割ピン５１と複数の柱材１５と複数の間仕切壁１６とを有している。
【００３１】
図３に示すように、各分割ピン５１は、ネジ形式で互いに端部で直列に着脱可能に設けられた円柱状の固定ピン５２と取付ピン５３とを有している。固定ピン５２および取付ピン５３は、側部中央に厚みを貫通して設けられた固定孔６１を有している。図４に示すように、分割ピン５１は、１対毎に使用され、それぞれ取付ピン５３が互いに向き合って突出するよう、それぞれ上側横架材１１および下側横架材１２の上下で互いに対向する位置に固定ピン５２で固定されている。各分割ピン５１は、それぞれ固定ピン５２を上側横架材１１および下側横架材１２の互いに上下で対向する位置に埋め込み、上側横架材１１および下側横架材１２と固定ピン５２の固定孔６１とに棒状のピン金具６２を貫通して固定されている。
【００３２】
柱材１５は、各挿入溝３０が取付ピン５３を挿入可能な幅を有している。柱材１５は、各分割ピン５１の取付ピン５３をそれぞれ各挿入溝３０に挿入し、上下の各端部１５ａ，１５ｂと取付ピン５３の固定孔６１とに棒状のピン金具６３を貫通して固定可能になっている。間仕切壁１６は、各挿入溝３１が取付ピン５３を挿入可能な幅を有している。間仕切壁１６は、各分割ピン５１の取付ピン５３をそれぞれ各挿入溝３１に挿入し、上下の各側部側の１辺部１６ａ，１６ｂと取付ピン５３の固定孔６１とに棒状のピン金具６３を貫通して固定可能になっている。
【００３３】
間仕切構造は、互いに対向するよう設けられた１対の分割ピン５１を複数対有している。図４および図５に示すように、間仕切構造は、上側横架材１１および下側横架材１２が直線状に伸びる箇所では、柱材用の１対の分割ピン５１ａ、その両脇にそれぞれ間仕切壁用の分割ピン５１ｂの対が設けられている。また、図６に示すように、上側横架材１１および下側横架材１２がＴ字や十字に交差している箇所では、その交差位置に柱材用の１対の分割ピン５１ａ、その交差位置から伸びる全ての方向に間仕切壁用の分割ピン５１ｂの対が設けられている。これにより、間仕切構造は、柱材１５を柱材用の１対の分割ピン５１ａに固定し、間仕切壁１６の一方の側部端面を柱材１５に接触させるよう、間仕切壁１６を間仕切壁用の分割ピン５１ｂの対に固定して形成される。
【００３４】
次に、作用について説明する。
本考案の第２の実施の形態の間仕切構造は、分割ピン５１を使用して柱材１５および間仕切壁１６を固定するため、容易に柱材１５および間仕切壁１６を固定することができる。分割ピン５１を、建築時に柱材１５や間仕切壁１６を設ける箇所だけでなく、将来柱材１５や間仕切壁１６を設ける可能性のある箇所にも予め固定しておく。これにより、容易に柱材１５や間仕切壁１６を固定し、容易に間取りを変更することができる。このとき、使用しない分割ピン５１の取付ピン５３を固定ピン５２から外しておくことにより、取付ピン５３は邪魔にならない。
【００３５】
柱材１５および間仕切壁１６を固定するとき、各挿入溝３０および各挿入溝３１の長さ方向が上側横架材１１および下側横架材１２の長さ方向に沿うようにして、柱材１５および間仕切壁１６を上側横架材１１および下側横架材１２の長さ方向に沿って移動させることにより、取付ピン５３をそれぞれ各挿入溝３０および各挿入溝３１に容易に挿入することができる。
【００３６】
なお、本考案の第２の実施の形態の間仕切構造は、一部の分割ピン５１の対の代わりに、上側蝶番１３および下側蝶番１４の組が設けられてもよい。また、所定の柱材１５の範囲では分割ピン５１が設けられ、他の柱材１５の範囲では上側蝶番１３および下側蝶番１４が設けられてもよい。
【００３７】
図７乃至図１０は、本考案の第３の実施の形態の間仕切構造を示している。
なお、以下の説明では、本考案の第１の実施の形態の間仕切構造の構成と同一の部材には同一の符号を付して、重複する説明を省略する。
図７乃至図１０に示すように、本考案の第３の実施の形態の間仕切構造は、天井パネル７１と壁パネル７２とを有している。
【００３８】
図７（ａ）に示すように、天井パネル７１は、矩形板状を成し、上側板材８１と下側板材８２と天井用断熱板８３と連結用梁材８４とを有している。上側板材８１および下側板材８２は、矩形板状を成し、それぞれ４辺を平行にして互いに平行に配置されている。天井用断熱板８３は、発泡スチロール製で、上側板材８１と下側板材８２との間に挟まれている。天井パネル７１は、一方の側部側の１辺７１ａで上側板材８１が下側板材８２および天井用断熱板８３より外側に伸びている。連結用梁材８４は、断面が矩形状の角材から成り、天井パネル７１の１辺７１ａに沿って設けられている。連結用梁材８４は、上側板材８１の伸びた部分の下面にビスや釘などで固定され、１辺７１ａの側の下側板材８２および天井用断熱板８３の端面を覆っている。連結用梁材８４は、１辺７１ａに沿って下側板材８２より下方に突出した突出部８４ａを有している。
【００３９】
図７（ａ）および図８に示すように、壁パネル７２は、矩形板状を成し、１対の壁板材８５，８６と壁用断熱板８７と端面部材８８とを有している。各壁板材８５，８６は、矩形板状を成し、それぞれ４辺を平行にして互いに平行に配置されている。壁用断熱板８７は、発泡スチロール製で、各壁板材８５，８６の間に挟まれている。端面部材８８は、細長い角材から成り、壁パネル７２の下端および他方の側部側の１辺７２ｂの各壁板材８５，８６の間に、壁用断熱板８７の下端面を覆うよう固定されている。
【００４０】
壁パネル７２は、一方の側部側の１辺７２ａに沿って各壁板材８５，８６が壁用断熱板８７より外側に伸びるよう設けられており、各壁板材８５，８６の一方の側部側の１辺７２ａに壁用断熱板８７より外側に突出した連結部８５ａ，８６ａを有している。壁パネル７２は、他方の側部側の１辺７２ｂから各壁板材８５，８６の間隔と同じ距離、すなわち壁用断熱板８７の厚み分、離れた位置に、挿入溝８９を有している。挿入溝８９は、１辺７２ａ,７２ｂと平行に伸び、壁板材８５，８６の厚みとほぼ同じ幅で、各壁板材８５，８６の連結部８５ａ，８６ａを挿入可能な幅を有し、一方の壁板材８５の表面から他方の壁板材８６に向かって所定の深さで、上端面７２ｃおよび下端面７２ｄに連通するよう設けられている。挿入溝８９は、深さ方向が壁パネル７２の表面に対して垂直になるよう設けられている。また、壁パネル７２は、上端面７２ｃに沿って、連結用梁材８４の突出部８４ａを嵌合可能に両側部側の１辺７２ａ，７２ｂに連通するよう設けられた嵌合溝９０を有している。嵌合溝９０は、壁用断熱板８７の上側の１辺に沿って伸びる段差を形成し、その段差の側面と他方の壁板材８６とにより挟まれた溝として構成されている。
【００４１】
次に、作用について説明する。
図７（ａ）に示すように、本考案の第３の実施の形態の間仕切構造は、壁パネル７２の嵌合溝９０に、天井パネル７１の連結用梁材８４の突出部８４ａを嵌合してビスや釘などにより固定することにより、壁パネル７２を天井パネル７１に容易に連結することができる。また、図９（ａ）に示すように、１つの壁パネル７２の一方の壁板材８５の連結部８５ａを、他の壁パネル７２の挿入溝８９に挿入し、他方の壁板材８６の連結部８６ａを他の壁パネル７２の他方の側部側の１辺７２ｂに沿って配置してビスや釘などにより固定することができる。これにより、２つの壁パネル７２を互いに垂直に結合し、強度の高い壁を造ることができる。
【００４２】
こうして、本考案の第３の実施の形態の間仕切構造は、壁パネル７２の嵌合溝９０に、天井パネル７１の連結用梁材８４の突出部８４ａを嵌合して固定することにより壁パネル７２と天井パネル７１とを連結し、間仕切構造を容易に造ることができる。天井パネル７１が上側板材８１と下側板材８２との間に天井用断熱板８３を有し、壁パネル７２が各壁板材８５，８６の間に壁用断熱板８７を有しているため、断熱性が高い間仕切構造を得ることができる。天井パネル７１を使用するため、従来の一般的な構造に比べて、天井下地を大幅に省略することができ、材料費を低減することができる。また、本考案の第３の実施の形態の間仕切構造は、従来の一般的な構造に比べて、材料費を大幅に低減することができ、工期も大幅に短縮することができる。
【００４３】
なお、図７（ａ）に示すように、壁パネル７２の嵌合溝９０に天井パネル７１の突出部８４ａを嵌合したとき、壁パネル７２と天井パネル７１との間に隙間が生じないよう、天井パネル７１の上側板材８１の伸びた部分の長さや、壁パネル７２の一方の壁板材８５および壁用断熱板８７の嵌合溝９０からの高さが調整されていることが好ましい。また、図１０（ａ）に示すように、連結用梁材８４が、天井用断熱板８３の側に突出した断面形状を有していてもよい。
【００４４】
図７（ｂ）および図１０（ｂ）に示すように、向かい合わせに配置された天井パネル７１の連結用梁材８４の突出部８４ａを嵌合可能に、嵌合溝９０が各壁板材８５，８６に挟まれた溝として構成されていてもよい。図９（ｂ）および（ｃ）に示すように、柱材１５が、壁パネル７２の各壁板材８５，８６の連結部８５ａ，８６ａの間に嵌合可能に設けられた嵌合部９１を複数有していてもよい。この場合、柱材１５の各嵌合部９１を壁パネル７２の連結部８５ａ，８６ａの間に嵌合してビスや釘などにより固定することにより、柱材１５を利用して容易に壁パネル７２を連結することができる。
以上のとおり、本考案の各実施の形態の間仕切構造によれば、容易に間取りを変更することができ、また、分解して移築を容易にすることができる。
【図面の簡単な説明】
【００４５】
【図１】本発明の第１の実施の形態の間仕切構造を示す（ａ）上側横架材、上側蝶番、下側横架材、下側蝶番の斜視図、（ｂ）柱材の斜視図、（ｃ）間仕切壁の斜視図である。
【図２】図１に示す間仕切構造の（ａ）上側横架材および下側横架材がＴ字に交差したときの下側蝶番の配置を示す平面図、（ｂ）上側横架材および下側横架材が十字に交差したときの下側蝶番の配置を示す平面図である。
【図３】本発明の第２の実施の形態の間仕切構造の分割ピンを示す斜視図である。
【図４】本発明の第２の実施の形態の間仕切構造の柱材および間仕切壁の取付方法を示す斜視図である。
【図５】図４に示す間仕切構造の柱材および間仕切壁の取付状態を示す斜視図である。
【図６】図４に示す間仕切構造の（ａ）上側横架材および下側横架材がＴ字に交差したときの分割ピンの配置を示す平面図、（ｂ）上側横架材および下側横架材が十字に交差したときの分割ピンの配置を示す平面図である。
【図７】本発明の第３の実施の形態の間仕切構造の（ａ）天井パネルおよび壁パネルの取付状態を示す縦断面図、（ｂ）天井パネルおよび壁パネルの異なる取付状態を示す縦断面図である。
【図８】図７に示す間仕切構造の壁パネルを示す斜視図である。
【図９】図７に示す間仕切構造の（ａ）壁パネル同士の取付方法を示す水平断面図、（ｂ）第１の柱材を使用した壁パネルの取付状態を示す水平断面図、（ｃ）第２の柱材を使用した壁パネルの取付状態を示す水平断面図である。
【図１０】図７に示す間仕切構造の変形例の（ａ）天井パネルおよび壁パネルの取付状態を示す縦断面図、（ｂ）天井パネルおよび壁パネルの異なる取付状態を示す縦断面図である。
【符号の説明】
【００４６】
１１  上側横架材
１２  下側横架材
１３  上側蝶番
１４  下側蝶番
１５  柱材
１６  間仕切壁
２１，２５  回転軸
２２ａ，２２ｂ  蝶番片
２３，２７  貫通孔
２４，２８  ピン金具
２６ａ，２６ｂ  蝶番片
２９  ストッパ
３０，３１  挿入溝
５１  分割ピン
５２  固定ピン
５３  取付ピン
６１  固定孔
６２，６３  ピン金具
【図１】
2010112022.tif 000003
【図２】
2010112022.tif 000004
【図４】
2010112022.tif 000005
【図５】
2010112022.tif 000006
【図６】
2010112022.tif 000007
【図３】
2010112022.tif 000008
【図７】
2010112022.tif 000009
【図８】
2010112022.tif 000010
【図９】
2010112022.tif 000011
【図１０】
2010112022.tif 000012